(57)【特許請求の範囲】
【請求項１】
機体の走行中に圃場に繁茂した蔓を掻き集める掻き込み装置及び、このように掻き集めた蔓を挟み付けて後方の斜め上方へ搬送する蔓挟持搬送装置を設けた蔓処理機であって、掻き込み装置４７の先端部後方に搬送始端が位置する蔓挟持搬送装置６９を設けると共に、蔓挟持搬送装置６９の搬送する蔓ｔの上部を抱いて蔓挟持搬送装置６９の搬送経路の直上に沿って搬送する掻き込み装置４７と、掻き込み装置４７の搬送終端に達する前の蔓ｔを受け取り、蔓挟持搬送装置６９の搬送する蔓ｔの上部を抱いて蔓挟持搬送装置６９の搬送経路の直上に沿って蔓挟持搬送装置６９の終端まで搬送し開放する後側搬送装置６７を設け、掻き込み装置４７の左右の蔓を切断する各蔓切断装置３・３を、エンジン１から延出する走行フレ−ム２・２の左右各先端に、バリカン式の縦向き切断部３ａ・３ａを備えた蔓切断装置３・３として、掻き込み装置４７の先端部の左右に設け、該走行フレ−ム２・２の左右各先端で、各蔓切断装置３・３の前方に各蔓切断装置３・３の前方下部から延出させる分草板４・４を、各蔓切断装置３・３の後方にゲイジ輪ｇ・ｇを固定したことを特徴とする甘藷等の蔓処理機。
【請求項２】
掻き込み装置４７を蔓挟持搬送装置６９の上方に位置させたことを特徴とする請求項１記載の甘藷等の蔓処理機。
【請求項３】
掻き込み装置４７及び蔓挟持搬送装置６９を畝ｈ上に位置させ、左右の蔓切断装置３・３を前記畝ｈの左右の溝ｍ・ｍ内に位置させる構成としたことを特徴とする請求項１又は２記載の甘藷等の蔓処理機。
【請求項４】
各蔓切断装置３・３の前方下部から延出させてあって、先端が土面に食い込んで進行し土面に存在する蔓ｔを後上がり傾斜縁４ａ・４ａで切断部３ａ・３ａへ案内する分草板４・４を設けたことを特徴とする請求項１、２又は３記載の甘藷等の蔓処理機。
【請求項５】
掻き込み装置４７を左右一対の掻き込み無端搬送帯４６・４６で形成し、これら一対の掻き込み無端搬送帯４６・４６の前部の掻き込み経路を前方へ向けて左右へ広がるハ字形状になすと共に後高となるように傾斜させ、また各蔓切断装置３・３をバリカン式の縦向き切断部３ａ・３ａを備えたものとなし、この切断部３ａ・３ａの切断位置を掻き込み装置４７の先端個所の概ね真横かやや前方に位置させたことを特徴とする請求項１、２、３又は４記載の甘藷等の蔓処理機。
【発明の詳細な説明】
【０００１】
【発明の属する技術分野】
本発明は、圃場に繁茂した甘藷等の蔓を切断し特定個所へ搬送する蔓処理機に関する。
【０００２】
【従来の技術】
機体の走行中に圃場に繁茂した甘藷等の蔓を畝に沿って切断処理するようにした蔓処理機は存在している（特公平４−５６５７２号公報参照）。
【０００３】
【発明が解決しようとする課題】
上記した従来の蔓処理機では、切断した蔓はそのまま圃場面に放置されるので、作業者は後作業である甘藷掘り等を行うには、この蔓を別途に手作業で除去する等しなければならないのであり、これに多くの労力を要するものとなっている。
【０００４】
本発明は、このような実状に対処することを可能とするもので、即ち、蔓を切断するに留まらず、この蔓を機械的且つ効率的に掻き集めて特定個所へ搬送するものとした甘藷等の蔓処理機を提供することを目的とする。
【０００５】
【課題を解決するための手段】
上記目的を解決するため、本発明では、機体の走行中に圃場に繁茂した蔓を掻き集める掻き込み装置及び、このように掻き集めた蔓を挟み付けて後方の斜め上方へ搬送する蔓挟持搬送装置を設けた蔓処理機であって、掻き込み装置４７の先端部後方に搬送始端が位置する蔓挟持搬送装置６９を設けると共に、蔓挟持搬送装置６９の搬送する蔓ｔの上部を抱いて蔓挟持搬送装置６９の搬送経路の直上に沿って搬送する掻き込み装置４７と、掻き込み装置４７の搬送終端に達する前の蔓ｔを受け取り、蔓挟持搬送装置６９の搬送する蔓ｔの上部を抱いて蔓挟持搬送装置６９の搬送経路の直上に沿って蔓挟持搬送装置６９の終端まで搬送し開放する後側搬送装置６７を設け、掻き込み装置４７の左右の蔓を切断する各蔓切断装置３・３を、エンジン１から延出する走行フレ−ム２・２の左右各先端に、バリカン式の縦向き切断部３ａ・３ａを備えた蔓切断装置３・３として、掻き込み装置４７の先端部の左右に設け、該走行フレ−ム２・２の左右各先端で、各蔓切断装置３・３の前方に各蔓切断装置３・３の前方下部から延出させる分草板４・４を、各蔓切断装置３・３の後方にゲイジ輪ｇ・ｇを固定したものである。
【０００６】
この発明によれば、掻き込み装置が周囲の蔓を掻き込む一方で、切断装置がその左右各側の蔓を切断する。従って、掻き込み装置は周辺の蔓を円滑に掻き集めることができ、蔓挟持搬送装置はこれら掻き集められた蔓を斜め上方へ搬送するものとなる。
また、蔓が左右に長く生育しているとき、掻き込み装置がこれらの蔓を掻き込むと、これらの蔓が切断装置の切断部に交差した状態で引っ張られるため、これらの蔓は切断され易い状態となり、切断装置はこれらの蔓を確実に切断するものとなる。
なお、蔓挟持搬送装置で搬送された蔓は適当個所へ排出する等、適宜に処理すればよい。
【０００７】
上記発明において、掻き込み装置は蔓挟持搬送装置の上方に位置させるのがよいのであり、このようにすると、蔓挟持搬送装置が蔓の比較的下部を挟持することができ、その後の蔓元の引きちぎり等の処理が安定的に行われるものとなる。
【０００８】
また、畝に植えられた甘藷等を処理する際は、掻き込み装置及び蔓挟持搬送装置は畝上に位置させ、左右の切断装置は前記畝の左右の溝内に位置させる構成とする。これにより、畝上の蔓が機械的且つ効率的に搬送除去されるものとなる。
【０００９】
また、各切断装置の前方下部から延出させてあって、先端が土面に食い込んで進行し土面に存在する蔓を後上がり傾斜縁で切断部へ案内するものとした分草板を設けるのがよい。これによれば、切断装置の切断部に交差した状態で土面に根付いた蔓や土面に埋もれた蔓が的確に切断され、掻き集められるものとなる。
【００１０】
上記発明は実際には次のように具体化するのであって、即ち、掻き込み装置を左右一対の掻き込み無端搬送帯で形成し、これら一対の掻き込み無端搬送帯の前部の掻き込み経路を前方へ向けて左右へ広がるハ字形状になすと共に後高となるように傾斜させ、また切断装置をバリカン式の縦向き切断部を備えたものとなし、この切断部の切断位置を掻き込み装置の先端個所の概ね真横かやや前方に位置させる。
【００１１】
これによれば、畝に植え付けられた甘藷等の蔓を処理する際、掻き込み装置のハ字形状部が畝の傾斜状左右側面に沿った状態に位置し、ここに存在する蔓を効果的に掻き集めるものとなり、またバリカン式の縦向き切断部はこれの上下方向の全長の何れの個所においても掻き込み装置と適当な相対配置となり、掻き込み装置の掻き込みを効率的となすタイミングの下で切断部が蔓を切断するものとなる。
【００１２】
【発明の実施の形態】
図１〜図７を参照して、本発明に係る蔓処理機の実施例を説明する。
全体は図２〜図４に示すように、走行機構部Ａ、回動中心機構部Ｂ及び蔓処理機構部Ｃからなっている。
【００１３】
先ず走行機構部Ａについて説明すると、次の通りである。
即ち、１はエンジンで、これの前部から管部材等からなる走行フレ−ム２・２を延出させてあり、走行フレ−ム２・２の左右各先端にはバリカン式の縦向き切断部３ａ・３ａを備えた蔓切断装置３・３、分草板４・４及びゲイジ輪ｇ・ｇが固定してある。
この際、分草板４・４は各蔓切断装置３・３の前方下部から延出させ、後上がり傾斜縁４ａ・４ａを備えたものとなす。
【００１４】
５はエンジン１の進行方向の左側面に固定したミッションケ−スで、このミッションケ−ス５の左右各側部には走行駆動ケ−ス６が基部廻りへ揺動変位可能に設けてあり、各走行駆動ケ−ス６・６の先端部には走行車輪７・７が装着してある。
【００１５】
走行フレ−ム２・２の長さ途中の左右各側には車輪高さ調整部材８が設けてあり、この調整部材８・８は走行駆動ケ−ス６・６の先端部を任意高さに固定するものとなしてある。
【００１６】
９は走行フレ−ム２と同体部から後方へ延出させた操縦ハンドルであり、１０は走行クラッチレバ−、１１は進行方向切換レバ−、１２は変速レバ−であり、１３は図示しないスプリングの弾力に抗して後方へ退避移動可能とした支持ロ−ラである。
【００１７】
上記走行機構部Ａの作動を説明すると、エンジン１の回転は走行クラッチレバ−１０の入り操作によりミッションケ−ス５内に伝達され、続いて走行駆動ケ−ス６・６内を経て各走行車輪７・７へ伝達される。また機体の進行方向は進行方向切換レバ−１１で切り換えられ、エンジン１と走行車輪７・７の回転比は変速レバ−１２で切り換えられる。
また、分草板４・４は先端部が土面に埋もれて進行し、圃場面近傍に繁茂した蔓や埋もれた蔓を掘り起こし、これら蔓を後上がり傾斜縁４ａ・４ａで縦向き切断部３ａ・３ａへ案内する。そして縦向き切断部３ａ・３ａはこれに交差状に当接する蔓を切断する。
【００１８】
次に、回動中心機構Ｂについて説明すると、次の通りである。
即ち、１４は左右方向へ延出された横回転軸１５を備えた回動中心ギヤケ−スであり、横回転軸１５の左右部は、図５に示すように、走行フレ−ム２の長さ途中に固定された左右の横軸受支持筒１６・１６に回転変位自在に内挿させ、回動中心ギヤケ−ス１４が走行フレ−ム２に対し横回転軸１５廻りへ揺動変位する状態となしてある。
【００１９】
回動中心ギヤケ−ス１４の上面には左右二つの縦軸受支持筒１８を形成し、各縦軸受支持筒１８に縦回転軸１９を内挿させてあり、この縦回転軸１９と前記横回転軸１５はミッションケ−ス５のＰＴＯ軸２０から自在継ぎ手２１を介して伝達される動力で回転駆動される構成としてある。
【００２０】
上記した左右の横軸受支持筒１６・１６の外方端にはクランクケ−ス２２・２２が固定してあり、各クランクケ−ス２２内の横回転軸１５に固定したクランク２３の動作がリンク機構２４を介してその対応する縦向き切断部３ａに伝達され、上下往復切断運動を起こさせるように構成してある。
【００２１】
２５は走行フレ−ム２と同体に装着した揺動操作ハンドルで、これの回転操作により回動中心ギヤケ−ス１４が横回転軸１５廻りの任意位置に揺動変位されるように構成してある。
２６はエンジン１からＰＴＯ軸２０への動力伝達を断続させる作業クラッチである。
【００２２】
次に、蔓処理機構部Ｃについて説明すると、次の通りである。
即ち、左右の各縦回転軸１９の特定高さ位置に広巾プ−リ２７が固定してあり、このプ−リ２７の上側の縦回転軸１９に二つの間隔保持筒２８・２８を外嵌して、これら間隔保持筒２８・２８の間にこれと対応する側のチェ−ンケ−ス２９・２９の上端を支持させてあり、また各回転軸１９の上端に狭巾プ−リ３０を固定させてある。
【００２３】
３１は回動中心ギヤケ−ス１４の前側から左右各側の前方へ延出させた前部支持フレ−ムで、これの左右の先端を各側のチェ−ンケ−ス２９の前端部に固定して各チェ−ンケ−ス２９・２９を回動中心ケ−ス１４と一体状になしてある。
【００２４】
前部支持フレ−ム３１の回動中心ギヤケ−ス１４近傍の左右個所にはブラケット３２・３２を固定し、これらブラケット３２・３２の各々に支持ア−ム３３・３３を枢着すると共に任意角度で固定されるものとなし、且つ各支持ア−ム３３・３３の先端に４つの鼓形ロ−ラ３４・３４の軸着された枠体３５・３５を軸支させた構成としてある。
【００２５】
各チェ−ンケ−ス２９・２９の先端部には広巾プ−リ３６・３６の固定された回転軸３７・３７が回転変位のみ自在に装着してあり、また各チェ−ンケ−ス２９・２９の内方にはこの回転軸３７・３７に固定されたスプロケット３８・３８と縦回転軸１９・１９に固定されたスプロケット３９・３９との間に無端状の伝動チェ−ンを掛け回してある。
【００２６】
また、左右各側のチェ−ンケ−ス２９の広巾プ−リ２７・３６間には二つのテンションプ−リ４１・４１を支持ア−ムを介して装着し、これらプ−リ４１・４１を図示しないスプリングの弾力で左右向きの一定方向へ付勢した構成となしてある。これら複数のテンションプ−リ４１は前後方向上で互い違いに位置するように配列させてある。
【００２７】
各チェ−ンケ−ス２９の先端部から延出させたベルト支持棒４２には先端部プ−リ支持板４３が固定してあり、この支持板４３には二つの狭巾プ−リ４４・４５が軸着してある。そして、左右各側において、これらプ−リ４４・４５と前記プ−リ３０の間に比較的長い突起の列設された無端状の掻き込みベルト４６を掛け回し、これら一対の掻き込みベルトの前部の掻き込み経路を前方へ向けて左右へ広がるハ字形状になすと共に後高となし、且つ狭巾プ−リ４４の先端を切断部と概ね同一の前後位置となしてあり、これら一対の掻き込みベルト４６・４６が掻き込み装置４７をなすものである。
【００２８】
この際、狭巾プ−リ４５は図示しないスプリングで弾性支持して掻き込みベルト４６にテンションを付与するものとなし、また左右の掻き込みベルト４６・４６の対向個所を掻き込み搬送部となし、この搬送部を図示しない案内板やこの案内板を支持するスプリング等に弾性支持させる。
【００２９】
各縦回転軸１９の縦軸受支持筒１８の外周と、間隔保持筒２８の外周にはプ−リ支持ア−ム４８・４８が縦回転軸１９廻りに揺動自在に枢着してあり、これら二つのプ−リ支持ア−ム４８・４８の先端部に軸受を介して回転支持軸４９を架設し、この回転支持軸４９に広巾プ−リ５０が固定してある。この際、これら左右のプ−リ支持ア−ム４８・４８にはこれらを互いに近接させる図示しないスプリングを設ける。
【００３０】
左右の各広巾プ−リ５０の回転支持軸４９の上側には間隔保持部材５１が設けてあり、この間隔保持部材５１はプ−リ支持ア−ム４８に対し回転支持軸４９廻りへ一定角度の揺動変位可能となしてあり、この間隔保持部材５１から後方へ上部支持杆５２が延出させてある。
【００３１】
各上部支持杆５２は四角筒状の内管５２ａと外管５２ｂを具備し、前者が後者に内挿され、スプリング５３の弾力で伸張方向へ付勢され、且つ後端に軸受筒５４を固定した構成としてある。軸受筒５４には回転軸５５を内挿してあり、これの上端に狭巾プ−リ５６を固定し、下端に広巾プ−リ５９を固定してある。
各上部支持杆５２の二つの広巾プ−リ５０・５９間には二つのＣ形支持ア−ム６０・６０が軸着してあり、これらア−ム６０・６０に３つのテンションプ−リ６１の連着された支持棒６２を軸着すると共に図示しないスプリングでこれらテンションプ−リ６１が左右向きの一定方向へ付勢された状態とする。
【００３２】
さらに、各上部支持杆５２の前部からはベルト支持棒６３を前方へ延出させ、この支持棒６３に後部プ−リ支持板６４を固定すると共に、プ−リ支持板６４の前部に狭巾プ−リ６５を軸着している。
そして、左右各側において、このプ−リ６５と前記プ−リ５６の間に比較的低い突起の列設された無端状の搬送ベルト６６を掛け回し、これら一対のベルト６６・６６を後側搬送装置６７となしてある。この際、狭巾プ−リ６５は図示しないスプリングで弾性保持して、搬送ベルト６６にテンションを付与するものとなし、また左右の搬送ベルト６６・６６の対向個所を搬送部となし、この搬送部を図示しない案内板とこの案内板を支持するスプリング等に弾性支持させる。
【００３３】
また、左右各側の巾広プ−リ２７・３６・５０・５９及びテンションプ−リ４１・６１の間に無端状の挟持搬送ベルト６８を掛け回し、これら一対のベルト６８・６８を蔓挟持搬送装置６９として機能させるのである。この際、蔓挟持搬送装置６９の搬送始端は掻き込み装置４７のハ字形状部の後方に位置させ、また挟持搬送ベルト６８の断面は巾中央の内面に突起条を有するものとなし、この突起条を巾広プ−リ２７・３６・５０・５９及びテンションプ−リ４１・６１の巾中央の凹みに嵌合させる。
【００３４】
左右のチェ−ンケ−ス２９の後部には屈曲状の支持ア−ム７０ａが軸着してあり、このア−ム７０ａの先端に案内ロ−ラ７０を軸着すると共にこの案内ロ−ラ７０と同軸に延長ア−ム７１を一定範囲内の左右揺動自在に枢着し、このア−ム７１の先端をこれの対応する回転支持軸４９の下端に枢着させた構成としてある。
【００３５】
上記した蔓処理機構部Ｃにおいて、縦回転軸１９の回転は広巾プ−リ２７、スプロケット３９及び狭巾プ−リ３０を同体的に回転させ、またスプロケット３９の回転はチェ−ン４０及びスプロケット３８を介して広巾プ−リ３６を回転させる。
これにより、左右の各挟持搬送ベルト６８・６８は二つの広巾プ−リ２７・３６で周回移動され、これら挟持搬送ベルト６８・６８の対向部はテンションプ−リ４１・６１で圧接された状態で前方から後方へ移動する。
【００３６】
上記狭巾プ−リ３０の回転は左右の掻き込みベルト４６・４６を周回移動させるものとなり、これにより、これら掻き込みベルト４６・４６の対向部は適当間隔を保持して挟持搬送ベルト６８と同一速度で前方から後方へ移動する。
【００３７】
また各挟持搬送ベルト６８の周回移動は広巾プ−リ５９及び、これと一体の回転軸５５及び狭巾プ−リ５６を回転させるものとなり、狭巾プ−リ５６の回転は左右の搬送ベルト６６・６６を周回移動させ、これにより、これらベルト６６・６６の対向部は間隔を徐々に狭めながら挟持搬送ベルト６８と同一速度で前方から後方へ移動するものとなる。
【００３８】
次に、上記した本発明の蔓処理機で甘藷の蔓を処理する場合の使用例を説明する。
二つの走行車輪７・７は、図６に示すように、畝ｈの左右の溝ｍ内に位置させて畝ｈを跨いだ状態となし、また左右の上部支持杆５２・５２を例えば進行方向の右側へ任意な適当角度だけ振り移動させて二つの上部支持杆５２・５２のうちの一方を図示しない規制手段でチェ−ンケ−ス２９と同体に固定し、図２及び図６に示す状態とする。
【００３９】
また、揺動操作ハンドル２５を操作して蔓処理機構部Ｃを横回転軸１５廻りへ揺動させ、左右の鼓形ロ−ラ３４を畝ｈの左右傾斜に沿わせて当接させる。この際、支持ロ−ラ１３は畝ｈ上に当接した状態となされる。
【００４０】
この後、機体を走行させ、各部を作動状態とする。これにより、分草板４・４は溝ｍ内で根付いた蔓ｔや、前工程で走行車輪７・７に踏まれ土中に埋もれた蔓ｔ等を順次に掘り起こして縦向き切断部３ａ・３ａに案内し、また掻き込み装置４７はハ字形状部が畝に沿った状態となり、その掻き込み装置４７の左右掻き込みベルト４６・４６は畝ｈの上面及びその左右斜面に繁茂した蔓ｔを機体の走行により連続的にその一対の掻き込みベルト４６・４６の前部のハ字形状の搬送始端に掻き込み、続いて後向き斜め上方へ搬送する。
【００４１】
縦向き切断部３ａ・３ａは、図１に示すように、これに交差状に当接してきた蔓ｔを溝ｍ内で切断しつつ前進するのであり、この際、掻き込み装置４７は縦向き切断部３ａ・３ａに交差した左右の蔓を引っ張るように作用するため、蔓ｔは切断され易い状態となって的確に切断されるものとなる。
【００４２】
こうして掻き込み装置４７に掻き込まれた蔓ｔはやがて蔓挟持搬送装置６９の搬送始端に供給されるのであり、この後、蔓挟持搬送装置６９が強力にこれら蔓ｔの下部を挟み付けて後向き斜め上方へ搬送し、順次に上方へ引き上げる。
この引き上げが進行すると、左右近傍を鼓形ロ−ラ３４で押さえられた甘藷の蔓元に強力な引張力が作用し、その蔓元が引きちぎられるのであり、このような引きちぎり処理は畝ｈに沿って順次に行われる。この際、蔓挟持搬送装置６９は蔓元に近い太い蔓部分を挟み付けて引っ張るため、蔓元はその近傍を的確に分断されるものとなる。
この蔓元の引きちぎり処理に代えて、適宜な切断装置で蔓元を切断するようにしても差し支えない。
【００４３】
蔓挟持搬送装置６９は、この引きちぎり処理の終了した蔓ｔを広巾プ−リ２７から広巾プ−リ５０の個所を経て搬送終端まで搬送し、隣りの畝ｈ上等に落下させる。
【００４４】
一方、掻き込み装置４７は、図７に示すように、蔓挟持搬送装置６９の搬送する蔓ｔの上部を抱いて蔓挟持搬送装置６９の搬送経路の直上に沿って広巾プ−リ２７の個所まで搬送するのであり、この後は、後側搬送装置６７が掻き込み装置４７の搬送終端に達する前の蔓ｔを受け取り、やはり蔓挟持搬送装置６９の搬送する蔓ｔの上部を抱いて蔓挟持搬送装置６９の搬送経路の直上に沿って蔓挟持搬送装置６９の搬送終端まで搬送し開放する。
【００４５】
この際、蔓挟持搬送装置６９と、掻き込み装置４７及び後側搬送装置６７とで搬送される蔓ｔは例えば１０ｃｍ程度離れた上下二個所を支持されるため、比較的立姿状に保持されて左右へ垂れ下がり難くなり、こぼれ落ちることや絡み付きを生じることなく効率的に搬送されるものとなる。
【００４６】
ところで、前工程で処理した蔓ｔ１を載せられた隣りの畝ｈの蔓ｔを処理する場合も、上記に準じて処理することになる。この場合には、畝ｈ上の蔓ｔの量が多くなっているが、掻き込み装置４７及び後側搬送装置６７が蔓挟持搬送装置６９に挟持されて搬送される蔓ｔの上部やこの蔓ｔに載せられ絡み付いた蔓ｔ１等をも効果的に抱き持って搬送するため、これらの蔓ｔ・ｔ１はやはり左右へこぼれ落ちることや絡み付きを生じることなく効率的に搬送されるものとなる。
【００４７】
このように畝ｈ上の蔓はその量が２〜３倍程度になっていても支障なく掻き集められ搬送除去されるものとなる。
【００４８】
【発明の効果】
上記した請求項１の本発明によれば、掻き込み装置が周囲の蔓を掻き込む一方で、切断装置がその左右各側の蔓を切断するようになるため、掻き込み装置が周辺の蔓を円滑に掻き集めると共に、蔓挟持搬送装置がこれら掻き集めた蔓を確実に斜め上方へ搬送することを可能となし、圃場面上の蔓を機械的且つ効率的に除去することができるのである。
また処理すべき蔓が左右に長く生育しているとき等において、掻き込み装置がこれらの蔓を掻き込むとき、蔓が切断装置の切断部に交差した状態で引っ張られるようになすことができ、これにより、これらの蔓は切断し易い状態となり、切断装置による確実且つ効率的な切断が行われるのである。
また、エンジンの前部から管部材等からなる走行フレ−ムを延出させてあり、走行フレ−ムの左右各先端にはバリカン式の縦向き切断部を備えた蔓切断装置を設け、走行フレ−ムの左右各先端で、蔓切断装置の前方に各切断装置の前方下部から延出させる分草板を、蔓切断装置の後方にゲイジ輪を固定してあるので、掻き込み装置の左右の土面近傍の蔓を確実に土面から引き離して切断することができ、一層確実に蔓を掻き集め搬送することができるものである。
また、掻き込み装置の先端部後方に搬送始端が位置する蔓挟持搬送装置を設けると共に、蔓挟持搬送装置の搬送する蔓の上部を抱いて蔓挟持搬送装置の搬送経路の直上に沿って搬送する掻き込み装置と、掻き込み装置の搬送終端に達する前の蔓を受け取り、蔓挟持搬送装置の搬送する蔓の上部を抱いて蔓挟持搬送装置の搬送経路の直上に沿って蔓挟持搬送装置の終端まで搬送し解放する後側搬送装置を設けてあり、蔓挟持搬送装置と掻き込み装置及び後側搬送装置とで搬送される蔓は上下二個所を支持されるため、比較的立姿状に保持されて左右へ垂れ下がり難くなり、こぼれ落ちることや絡み付きを生じることなく効率的に搬送されるものとなる。
【００４９】
請求項２に記載のものによれば、蔓挟持搬送装置が蔓の比較的下部を挟持することができ、その後の蔓元の引きちぎり等の処理を安定的に行えるようになるのである。
請求項３に記載のものによれば、畝上の蔓を機械的且つ効率的に搬送除去できるものである。
請求項４に記載のものによれば、掻き込み装置の左右の土面近傍の蔓を確実に土面から引き離して切断することができ、一層確実に蔓を掻き集め搬送することができるものである。
【００５０】
請求項５に記載のものによれば、特に、畝に植え付けられた甘藷等の蔓を処理する際、掻き込み装置のハ字形状部が畝の傾斜状左右側面に沿った状態に位置するものとなって、ここに存在する蔓を効果的に掻き集めることができるのであり、またバリカン式の縦向き切断部をこれの上下方向の全長の何れの個所において掻き込み装置と適当な相対配置となすことができ、掻き込み装置による掻き込みを効率的に行わせることのできるものである。
【図面の簡単な説明】
【図１】本発明の実施例に係る蔓処理機の最前部の作動状態を示す図である。
【図２】上記処理機の使用状態を示す平面図である。
【図３】上記処理機の別の状態を示す平面図である。
【図４】上記処理機の一部を断面とした側面図である。
【図５】上記処理機の一部を省略した平面図である。
【図６】上記処理機の使用例を示す正面視説明図である。
【図７】上記処理機の蔓処理機構部の蔓搬送状況を示す断面図である。
【符号の説明】
３  蔓切断装置
３ａ  縦向き切断部
４  分草板
４ａ  後上がり傾斜縁
４６  掻き込みベルト（掻き込み無端搬送帯）
４７  掻き込み装置
６７  後側搬送装置
６９  蔓挟持搬送装置
ｈ  畝
ｍ  溝
ｔ  蔓
ｔ１  蔓
【図１】
0003540121.tif 000002
【図２】
0003540121.tif 000003
【図３】
0003540121.tif 000004
【図４】
0003540121.tif 000005
【図５】
0003540121.tif 000006
【図６】
0003540121.tif 000007
【図７】
0003540121.tif 000008